(57)【要約】【課題】  回収すべき医療器材を部品単位で管理する。【解決手段】  識別情報特定部５４２は、入力インターフェース５４０を介して提供者から、医療機関より回収した引取用医療器材自体に付与された識別番号を部品単位で受けつける。識別情報記憶部５１４は、出荷した引取用医療器材についての識別番号を記憶する。識別情報照合部５４４は、識別情報特定部５４２で特定された識別番号と識別情報記憶部５１４に記憶された識別番号を照合する。引取器材特定部５４６は、識別情報照合部５４４で照合された結果にもとづいて、回収されるべき引取用医療器材あるいは引取用医療器材の部品のうち、回収されたものと回収されていないものを特定する。【選択図】図６
2005293210.tif 000002
【特許請求の範囲】
【請求項１】
特定の医療機関から医療行為の種類を指定する形で発注された医療器材に関する注文データが入力される注文データ入力部と、
前記注文データ入力部に入力された前記注文データにもとづき、前記特定の医療行為に必要となる医療器材を抽出する医療器材抽出部と、
前記抽出された医療器材のうち、医療機関で使用された後に回収が必要な医療器材を特定する引取用医療器材特定部と、
前記引取用医療器材特定部で特定された医療器材に対する識別情報を入力する識別情報入力部と、
前記入力した識別情報を記憶する識別情報記憶部と、
を備えることを特徴とする医療器材管理装置。
【請求項２】
医療機関に医療器材を出荷する際、当該医療器材を構成していた各部品の識別情報を記録する識別情報記録部と、
出荷した医療器材を構成していた複数の部品であって、かつ前記医療機関で使用された後に分解された状態の複数の部品を回収し、当該回収した複数の部品のそれぞれに与えられた識別情報を入力する識別情報入力部と、
入力された各部品の識別情報と、前記記録した各部品の識別情報とを照合する識別情報照合部と、
照合の結果から判明した未回収部品をユーザに提示する提示部と、
を備えることを特徴とする医療器材管理装置。
【請求項３】
医療機関に医療器材を出荷する際、当該医療器材を収納していたパッケージの識別情報を記録する識別情報記録部と、
出荷した医療器材であって、かつ前記医療機関で使用された後に分解された状態の医療器材を回収し、当該回収した医療器材を収納していたパッケージに与えられた識別情報を入力する識別情報入力部と、
入力されたパッケージの識別情報と、前記記録したパッケージの識別情報とを照合する識別情報照合部と、
照合の結果から判明した未回収パッケージをユーザに提示する提示部と、
を備えることを特徴とする医療器材管理装置。
【請求項４】
医療機関に医療器材を出荷する際、当該医療器材を収納していたパッケージの識別情報と、当該医療器材を収納していたパッケージの重量をそれぞれ記録する重量記録部と、
出荷した医療器材であって、かつ前記医療機関で使用された後に分解された状態の医療器材を回収し、当該回収した医療器材を収納していたパッケージに与えられた識別情報を入力する識別情報入力部と、
入力されたパッケージの識別情報と、前記記録したパッケージの識別情報とを照合する識別情報照合部と、
前記識別情報照合部による照合の結果、同一と判明したパッケージどうしの重量の比較から未回収部品の存在が判明したときその部品を記録する部品記録部と、
を備えることを特徴とする医療器材管理装置。
【請求項５】
請求項４に記載の装置において、前記部品記録部は、当該パッケージに収納される医療器材のうち再使用されるリユース器材の合計重量を記録することを特徴とする医療器材管理装置。
【請求項６】
医療機関に医療器材を出荷する際、当該医療器材を構成していた各部品の識別情報を記録するステップと、
出荷した医療器材を構成していた複数の部品であって、かつ前記医療機関で使用された後に分解された状態の複数の部品を回収し、当該回収した複数の部品のそれぞれに与えられた識別情報を入力するステップと、
入力された各部品の識別情報と、前記記録した各部品の識別情報とを照合するステップと、
照合の結果から判明した未回収部品をユーザに提示するステップと、
を備えることを特徴とする医療器材管理方法。
【発明の詳細な説明】
【技術分野】
【０００１】
この発明は医療器材の管理技術に関する。特に、この発明は、医療器材を構成する構成部品を部品単位で管理するための技術に関する。
【背景技術】
【０００２】
シングルユース器材ともよばれるディスポーザブル器材は、１回の診療行為の中でひとりの患者のみに対して使う、使い捨て医療器材である。ディスポーザブル器材の例として、輸液バッグ、カテーテル・チューブ、血液回路、注射器、真空採血管、手術用不織布、手術用ゴム手袋などがある。ディスポーザブル器材は、再使用可能な医療器材（以下、「リユース器材」とよぶ）のように再滅菌後再梱包される必要もなく、手軽である。
【０００３】
しかし、近年複雑で高価な器材が増加し、ディスポーザブル器材のあり方が再考されている。現在、ディスポーザブル器材の費用の多くは手術料の中で賄われており、ある研究報告によると、手術料に占めるディスポーザブル器材の費用比は、最も高い腹腔鏡下胆嚢摘出術において、５０％に迫っている。この術式に対する診療報酬点数は２２４００点、すなわち２２万４千円であるところ、ディスポーザブル器材のコストは多数の外科病院の平均で１１万円程度という。
【０００４】
病院は医療器材のコストを削減するために、リユース器材などの医療器材を医療器材提供機関からリースすることも可能である。しかしながら、このような場合に、医療器材提供機関が病院での医療器材の使用状況を把握しなければならず、医療器材の使用状況を管理するコストが発生する。特許文献５はこの点に着目し、医療器材提供機関が医療器材の使用状況や使用回数を把握できるリースシステムを開示する。
【特許文献１】特開２００２−１６６２６１号公報
【特許文献２】特開２００２−５６０８０号公報
【特許文献３】特開２００３−９１５９６号公報
【特許文献４】特開２００２−１３３２５０号公報
【特許文献５】特開２００１−１６０１０６号公報
【発明の開示】
【発明が解決しようとする課題】
【０００５】
病院では、手術で医療器材を使用した後、使用済み医療器材を洗滌する。その際、医療器材が複数の部品で構成されていれば、衣料器材を部品単位に分解した後に、洗滌を行うことになる。このように複数の部品からなる医療器材を洗滌する際には、部品単位に分解されるため、部品の正確な管理が必要になる。また、滅菌処理などのために医療器材が回収される際に、正確にすべての部品が回収されているかどうかを管理する必要がある。
本発明はこうした現状に鑑みてなされたものであり、その目的は、回収されるべき医療器材の確認を正確に行うための医療器材管理方法および装置を提供することにある。
【課題を解決するための手段】
【０００６】
上記課題を解決するために、本発明のある態様は、医療器材管理装置である。この装置は、特定の医療機関から特定の医療行為に関する注文データが入力される注文データ入力部と、注文データ入力部に入力された注文データから特定の医療行為に必要となる医療器材を判別する医療器材判別部と、医療器材判別部で判別された医療器材のうち、引き取りが必要な医療器材を特定する引取用医療器材特定部と、引取用医療器材特定部で特定された医療器材に対する参照データを入力可能な参照データ入力部とを備える。
【０００７】
「医療行為に関する注文データ」は、例えば症例名を示すが、症例名でなくても医療行為を特定できればどのような形式であってもよい。
以上の装置により、医療行為を特定すればそれに対応した医療器材が特定されるので、個々の医療器材の特定が不要になって、注文の操作性が向上する。
【０００８】
本発明の別の態様も医療器材管理装置である。この装置は、医療機関に医療器材を出荷する際、当該医療器材を構成していた各部品の識別情報を記録する識別情報記録部と、出荷した医療器材を構成していた複数の部品であって、かつ医療機関で使用された後に分解された状態の複数の部品を回収し、当該回収した複数の部品のそれぞれに与えられた識別情報を入力する識別情報入力部と、入力された各部品の識別情報と、記録した各部品の識別情報とを照合する識別情報照合部と、照合の結果から判明した未回収部品をユーザに提示する提示部とを備える。
【０００９】
以上の装置により、回収された医療器材の各部品の識別情報を出荷した医療器材の各部品の識別情報と比較するので、回収された医療器材が部品単位に分解されていても、回収されていない医療器材を部品単位で発見できる。
【００１０】
本発明のさらに別の態様も医療器材管理装置である。この装置は、医療機関に医療器材を出荷する際、当該医療器材を収納していたパッケージの識別情報を記録する識別情報記録部と、出荷した医療器材であって、かつ医療機関で使用された後に分解された状態の医療器材を回収し、当該回収した医療器材を収納していたパッケージに与えられた識別情報を入力する識別情報入力部と、入力されたパッケージの識別情報と、記録したパッケージの識別情報とを照合する識別情報照合部と、照合の結果から判明した未回収パッケージをユーザに提示する提示部とを備える。
【００１１】
「パッケージ」とは、所定の医療器材がキット化されたものである。キット化の単位は任意の単位でよく、例えば、１回の症例を単位にしてキット化したり、複数回の症例を単位にしてキット化してもよい。
以上の装置により、回収された医療器材のパッケージの識別情報を出荷した医療器材のパッケージの識別情報と比較するので、回収されていないパッケージを迅速に発見できる。
【００１２】
本発明のさらに別の態様も医療器材管理装置である。この装置は、医療機関に医療器材を出荷する際、当該医療器材を収納していたパッケージの識別情報と、当該医療器材を収納していたパッケージの重量をそれぞれ記録する重量記録部と、出荷した医療器材であって、かつ医療機関で使用された後に分解された状態の医療器材を回収し、当該回収した医療器材を収納していたパッケージに与えられた識別情報を入力する識別情報入力部と、入力されたパッケージの識別情報と、記録したパッケージの識別情報とを照合する識別情報照合部と、識別情報照合部による照合の結果、同一と判明したパッケージどうしの重量の比較から未回収部品の存在が判明したときその部品を記録する部品記録部とを備える。
【００１３】
以上の装置により、回収された医療器材のパッケージの識別情報を出荷した医療器材のパッケージの識別情報と比較するので、回収されていないパッケージを迅速に発見でき、さらに回収された医療器材の重量を出荷した医療器材の重量と比較するので、回収されたパッケージに含まるべき医療器材のうちで回収されたパッケージの中に含まれていないものを発見できる。
【００１４】
本発明のさらに別の態様は医療器材管理方法である。この方法は、医療機関に医療器材を出荷する際、当該医療器材を構成していた各部品の識別情報を記録するステップと、出荷した医療器材を構成していた複数の部品であって、かつ医療機関で使用された後に分解された状態の複数の部品を回収し、当該回収した複数の部品のそれぞれに与えられた識別情報を入力するステップと、入力された各部品の識別情報と、記録した各部品の識別情報とを照合するステップと、照合の結果から判明した未回収部品をユーザに提示するステップとを備える。
【発明の効果】
【００１５】
本発明によれば、回収されるべき医療器材の確認を正確に行える。
【発明を実施するための最良の形態】
【００１６】
（実施例１）
本発明を具体的に説明する前に、概要を述べる。本発明の実施例１は、医療器材提供機関が医療機関に医療器材を出荷し、出荷した医療器材のうちの少なくとも一部の医療器材を回収する（以下、回収する医療器材を「引取用医療器材」という）医療器材の流通システムに関する。ここで、前述のごとく、医療器材はディスポーザブル器材とリユース器材を含み、引取用医療器材は通常リユース器材を示すが、所定のディスポーザブル器材、例えば、医療器材提供機関で廃棄を予定するディスポーザブル器材を含んでもよい。
【００１７】
医療器材提供機関から医療機関に医療器材が出荷される際は、複数の部品で構成された医療器材は組み立てられているが、医療機関から医療器材提供機関に医療器材が回収される際は、医療機関でなされた洗滌のために複数の部品で構成された医療器材は分解されている（以下、「医療器材」とその「部品」を区別して記載しないが、医療器材が複数の部品で構成されている場合の「医療器材」の記載は、「医療器材」やその「部品」を示すものとする。なお、ディスポーザブル器材やリユース器材に関しても同様である。）。本実施例において、医療器材提供機関は、引取用医療器材に対して部品単位で識別番号を付与しており、医療機関に引取用医療器材を出荷する際に識別番号を記録し、さらに記録した識別番号と回収された引取用医療器材の部品に付与された識別番号を比較して、引取用医療器材が正確に回収されたかを確認する。
【００１８】
図１は、本発明の実施例１に係る医療器材の流通システム５００における医療器材の流通経路を説明するための模式図である。流通システム５００は、医療器材提供機関５０２、医療機関５０４を含む。ここでは、医療器材提供機関５０２と医療機関５０４の間の流通経路として医療器材を運搬する経路のみを記載したが、実際には、医療器材提供機関５０２と医療機関５０４間で医療器材の発注・受注などを行うためのインターネットなどのネットワークも流通経路として存在する。後者については、図２において後述する。また、同図では説明のために流通システム５００が医療器材提供機関５０２と医療機関５０４をそれぞれひとつずつ含む形で構成されるものとしているが、通常は、複数の医療器材提供機関５０２によって流通システム５００の全体が構成される。
【００１９】
医療器材提供機関５０２は、医療器材を提供する機関であり、たとえば医療器材メーカが該当する。医療機関５０４は、医療器材のユーザとなる機関であり、通常は病院が該当する。
医療器材提供機関５０２は、図示しないネットワークを介して医療機関５０４から医療機関５０４に納入すべき医療器材の注文を受け付ける（Ｓ５００）。医療器材提供機関５０２は、受け付けた注文に応じて医療器材を梱包する（Ｓ５０２）。さらに、医療器材提供機関５０２は、梱包した医療器材を医療機関５０４に出荷する（Ｓ５０４）。
【００２０】
医療器材提供機関５０２から出荷された医療器材は、医療機関５０４に搬入される（Ｓ５０６）。医療機関５０４は、搬入された医療器材を手術で使用する（Ｓ５０８）。医療器材、すなわち医療器材を構成する各部品は手術で汚染される。使用後の医療器材は部品単位に分解される。この分解された部品のうち、引取用医療器材以外の医療器材に含まれた部品は、廃棄処理される（Ｓ５１４）。通常は、医療廃棄物処理業者がこのような廃棄処理すべき部品を回収する。引取用医療器材に含まれた部品は、洗滌され（Ｓ５１０）、さらに滅菌処理される（Ｓ５１２）。滅菌処理された医療機材は再び手術に使用されてもよいが、ここでは説明の簡略化のために説明を省略する。このような洗滌滅菌処理された引取用医療器材は、部品単位に分解されたまま医療器材提供機関５０２に回収され（Ｓ５１６）、医療器材提供機関５０２に受け入れられる（Ｓ５１８）。
【００２１】
医療器材提供機関５０２は、回収した取引用医療器材が回収されるべき取引用医療器材であるかを確認する（Ｓ５２０）。すなわち、回収した引取用医療器材が不足していないか、あるいは回収した引取用医療器材に不要な医療器材が含まれていないかを確認する。医療器材提供機関５０２は、回収した引取用医療器材を再び滅菌する（Ｓ５２２）。滅菌した引取用医療器材のうちディスポーザブル器材は廃棄され（Ｓ５２６）、一方、滅菌した引取用医療器材のうちリユース器材は部品の使用状態に応じて再利用可能か廃棄すべきかを点検される（Ｓ５２４）。点検によって廃棄すべきと判定されたリユース器材は廃棄処理される（Ｓ５２６）。通常は、医療廃棄物処理業者または産業廃棄物処理業者がこのような医療器材を回収する。再利用可能と判定されたリユース器材に関する以後の処理は、説明を省略する。
【００２２】
図２は、本発明の実施例１に係る管理装置５０６の構成を示す。管理装置５０６は、注文データ入力部５１６、医療器材判定部５１８、引取器材特定部５２０、識別情報入力部５２２、入力インターフェース５２４、梱包器材決定部５２６、器材データ記憶部５１２、識別情報記憶部５１４を含む。図２は、図１の医療器材提供機関５０２と医療機関５０４間で流通経路として存在すべき装置およびネットワークを示す。
【００２３】
管理装置５０６は、図１の医療器材提供機関５０２に含まれており、ネットワーク５１０を介して図１の医療機関５０４の注文装置５０８と通信される。ここで、図２は、図１の受注工程（Ｓ５００）に必要な部分を記載する。
【００２４】
注文装置５０８は、医療機関５０４が医療器材提供機関５０２に医療器材を注文する際に操作する端末装置、例えば、ＰＣ（パーソナルコンピュータ）である。医療機関５０４の注文者は、注文装置５０８の図示しない表示装置に表示される内容に従って医療器材を注文する。ここでは、医療器材を単体で注文するのではなく、症例、例えば、腹腔鏡下胆嚢摘出術、胃切除を単位にして注文する。
注文データ入力部５１６は、注文装置５０８で行われた注文の指示をネットワーク５１０を介して入力する。
【００２５】
器材データ記憶部５１２は、注文された症例に応じた医療器材に関するデータを記憶する。図３は、器材データ記憶部５１２に記憶された医療器材データのデータ構造を示す。ここでは、一例として腹腔鏡下胆嚢摘出術に対応した医療器材のデータを示す。「品名」は、医療器材の名称を示すが、リユース器材とディスポーザブル器材を分類せずに示す。「部品名」は、「品名」に示された医療器材が複数の部品で構成されている場合に、部品の名称を示す。「引取要否」は、対応した医療器材あるいは医療器材の部品が回収されるべき医療器材、すなわち引取用医療器材であるかを示す。「重量」は、対応した医療器材あるいは医療器材の部品の重量を示す。
【００２６】
図２に戻る。医療器材判定部５１８は、注文された症例に対応した医療器材を器材データ記憶部５１２から選択する。引取器材特定部５２０は、医療器材判定部５１８で選択した医療器材の中から、引取用医療器材を特定する。すなわち、図３の「取引要否」が「要」にされた医療器材あるいは医療器材の部品を特定する。
【００２７】
識別情報入力部５２２は、入力インターフェース５２４を介して医療器材提供機関５０２の提供者から、医療機関５０４に出荷する引取用医療器材自体に付与された識別番号を受けつける。さらに、受けつけた識別番号は、引取用医療器材の品名や部品名と対応付けられてから識別情報記憶部５１４に記憶される。図４は、識別情報記憶部５１４に記憶された医療器材の識別情報のデータ構造を示す。「品名」と「部品名」は、図３と同一である。「識別番号」は、対応した医療器材自体あるいは医療器材の部品自体に付与され、かつ入力インターフェース５２４を介して入力された識別番号を示す。「引取予定日」は、医療機関５０４から対応した医療器材自体あるいは医療器材の部品自体を引き取る予定日を示す。
【００２８】
ここで、医療器材の部品に付与された識別情報を例示するために、図５は、医療器材の流通システム５００で流通する鋏鉗子の構成を示す。鋏鉗子は、ハンドル５２８、ハサミユニット５３０、シース５３２を含む。また識別番号として、ハンドル５２８にハンドル用識別番号５３４が、ハサミユニット５３０にハサミユニット用識別番号５３６が、シース５３２にシース用識別番号５３８がそれぞれ付与されている。ここでは、ハンドル用識別番号５３４、ハサミユニット用識別番号５３６、シース用識別番号５３８は、それぞれ数字や記号で示されているが、これらの代わりにＲＦＩＤ（Radio Frequency Identification）とよばれる非接触タグが識別番号として付加されてもよい。提供者は、ハンドル用識別番号５３４、ハサミユニット用識別番号５３６、シース用識別番号５３８を直接見ながら、あるいはカメラなどによって画像データとして認識してからハンドル用識別番号５３４、ハサミユニット用識別番号５３６、シース用識別番号５３８を識別情報入力部５２２に入力する。
【００２９】
図２に戻る。梱包器材決定部５２６は、医療器材判定部５１８で選択された医療器材の情報と、識別情報入力部５２２で入力された引取用医療器材の情報をまとめて梱包すべき医療器材を決定する。さらに、処理は、図１の梱包工程（Ｓ５０２）に引き継がれる。
【００３０】
図６は、本発明の実施例１に係る管理装置５０６の構成を示す。管理装置５０６は、入力インターフェース５４０、識別情報特定部５４２、識別情報照合部５４４、引取器材特定部５４６、提示部５４８、識別情報記憶部５１４を含む。注文データ入力部５１６は、図１の医療器材提供機関５０２に含まれている。ここで、図６は、図１の確認工程（Ｓ５２０）に必要な部分を記載する。
【００３１】
識別情報特定部５４２は、入力インターフェース５４０を介して提供者から、医療機関５０４より回収した引取用医療器材自体に付与された識別番号を受けつける。前述のごとく、回収された状態において引取用医療器材は複数の部品に分解されているので、識別情報特定部５４２は、引取用医療器材の部品単位に付与された識別番号を特定する。ここで、提供者は、前述のごとく、図５のハンドル用識別番号５３４、ハサミユニット用識別番号５３６、シース用識別番号５３８を直接見ながら、あるいはカメラなどによって画像データとして認識してからハンドル用識別番号５３４、ハサミユニット用識別番号５３６、シース用識別番号５３８を識別情報特定部５４２に入力する。
【００３２】
識別情報記憶部５１４は、図２の識別情報記憶部５１４と同一であり、出荷した引取用医療器材についての識別番号を記憶する。識別情報照合部５４４は、識別情報特定部５４２で特定された識別番号と識別情報記憶部５１４に記憶された識別番号を照合する。引取器材特定部５４６は、識別情報照合部５４４で照合された結果にもとづいて、回収されるべき引取用医療器材あるいは引取用医療器材の部品のうち、回収されたもの（以下、「回収済器材」という）と回収されていないもの（以下、「未回収器材」という）を特定する。提示部５４８は、引取器材特定部５４６で特定された未回収器材を図１の５０４に提示する。すなわち、図２のネットワーク５１０などを介して、医療機関５０４に未回収器材の発送の催促を出力する。
【００３３】
図７は、管理装置５０６による確認工程の手順を示すフローチャートである。提供者は、入力インターフェース５４０を介して回収された引取用医療器材の識別番号を部品単位で入力し（Ｓ５３０）、識別情報特定部５４２が、入力された識別番号を特定する。識別情報照合部５４４は、回収された引取用医療器材に対応し、かつ識別情報記憶部５１４に記憶した識別番号を取得する（Ｓ５３２）。識別情報照合部５４４と引取器材特定部５４６は、識別情報特定部５４２で特定した識別番号と識別情報記憶部５１４から取得した識別番号を照合して、不一致の識別番号が存在するかを確認する（Ｓ５３４）。不一致の識別番号が存在しなかった場合（Ｓ５３４のＹ）、管理装置５０６は、確認処理を終了する（Ｓ５３６）。さらに提供者は、図１の滅菌工程（Ｓ５２２）以降の処理に進む。一方、不一致の識別番号が存在した場合は（Ｓ５３４のＮ）、提示部５４８は図１の医療機関５０４に対して、その旨を提示する（Ｓ５３８）。
【００３４】
本発明の実施例によれば、引取用医療器材を構成している部品単位で識別番号を付与し、医療機器提供機関は、引取用医療器材を回収した際に部品単位の識別番号を確認するので、医療機関で引取用医療器材が部品単位に分解されていても正確に回収されたか否かを確認できる。また、引取用医療器材にディスポーザブル器材を含めて回収し、医療機器提供機関がこれを洗滌してから廃棄するので、医療廃棄物より廃棄コストの安い産業廃棄物として廃棄でき、その結果、医療機器提供機関は医療機関にコストが安く、利便性の高いサービスを提供できる。
【００３５】
（実施例２）
本発明の実施例２は、実施例１と同様に医療器材の流通システムに関する。実施例１と同じく医療器材提供機関は、医療機関から医療器材の注文を症例単位で受け付け、受けつけた症例に応じて複数の医療器材をパッケージにして出荷する。しかしながら、実施例２にかかる医療器材提供機関は、当該パッケージに対して識別番号を付与する。医療器材提供機関は、引取用医療器材を含んだパッケージを医療機関から回収すると、回収したパッケージに付与された識別番号を出荷したパッケージに付与した識別番号と比較して、パッケージとして回収されたか否かを確認する。
【００３６】
実施例２は、図１の発注工程（Ｓ５００）において、図２に示されるタイプの管理装置５０６に係る。しかしながら、識別情報記憶部５１４に記憶された識別番号は、図２での医療器材を構成する部品単位でなく、前述のごとく症例単位である。図８は、本発明の実施例２に係る識別情報記憶部５１４に記憶されたパッケージの識別情報のデータ構造を示す。「症例名」は、複数の医療器材を含んだひとつのパッケージを示す。「識別番号」は、対応したパッケージに付与され、かつ入力インターフェース５２４を介して入力された識別番号を示す。「引取予定日」は、図４と同一のため説明を省略する。
【００３７】
実施例２は、図１の確認工程（Ｓ５２０）において、図６に示されるタイプの管理装置５０６に係る。しかしながら、識別情報特定部５４２で特定された識別番号は、回収されたパッケージに付与された識別番号である。また、識別情報記憶部５１４に記憶された識別番号は、前述のごとく、パッケージに付与された識別番号であり、識別情報照合部５４４と引取器材特定部５４６は、パッケージに付与された識別番号を照合して、出荷したパッケージが回収されたか否かを確認する。
【００３８】
本発明の実施例によれば、複数の引取用医療器材を含んだパッケージを単位にして識別番号を付与し、医療機器提供機関は、引取用医療器材を回収した際にパッケージ単位の識別番号を確認するので、回収した引取用医療器材の確認を容易にかつ迅速にできる。
【００３９】
（実施例３）
本発明の実施例３は、これまでの実施例と同様に医療器材の流通システムに関する。これまでの実施例と同じく医療器材提供機関は、医療機関から医療器材の注文を症例単位で受け付け、受けつけた症例に応じて複数の医療器材をパッケージにして出荷する。また、実施例２と同様に当該パッケージに対して識別番号を付与する。さらに、実施例３に係る医療器材提供機関は、当該パッケージのうちの引取用医療器材の重量を出荷前に記憶する。引取用医療器材を含んだパッケージを医療機関から回収すると、回収したパッケージに付与された識別番号を出荷したパッケージに付与した識別番号と比較して、パッケージとして回収されたか否かを確認する。さらに、回収したパッケージの重量を出荷前の重量と比較して、パッケージに含まれた引取用医療器材が回収されたか否かを確認する。
【００４０】
図９は、本発明の実施例３に係る管理装置５０６の構成を示す。管理装置５０６は、図２の管理装置５０６に重量計算部５５０を付加する。
重量計算部５５０は、引取器材特定部５２０で特定した引取用医療器材の重量、すなわち図３に示した医療器材データに含まれた重量を加算して、ひとつのパッケージに対応した重量を計算する。ここで、引取用医療器材がリユース器材であれば、重量計算部５５０は、リユース器材の合計を計算する。重量計算部５５０で計算された重量は、識別情報入力部５２２に出力されて、さらに識別情報記憶部５１４に記憶される。図１０は、識別情報記憶部５１４に記憶されたパッケージの識別情報のデータ構造を示す。実施例２に係る図８と同様に「症例名」、「識別番号」、「引取予定日」を含み、さらに重量計算部５５０で計算された「重量」も含まれる。
【００４１】
図１１は、本発明の実施例３に係る管理装置５０６の構成を示す。管理装置５０６は、図６の管理装置５０６に重量入力部５５２、重量照合部５５４、部品記録部５５６を付加する。
実施例２と同様に、提供者は入力インターフェース５４０を介して回収されたパッケージの識別番号を入力し、識別情報特定部５４２は回収されたパッケージに付与された識別番号を特定する。また、識別情報記憶部５１４と識別情報照合部５４４は、実施例２と同様である。さらに、提供者は入力インターフェース５４０を介して回収されたパッケージの重量を重量入力部５５２に入力する。    
【００４２】
重量照合部５５４は、入力されたパッケージの重量と入力インターフェース５２４に記憶されたパッケージの重量を比較する。引取器材特定部５４６は、実施例２と同様に識別情報照合部５４４でのパッケージに付与された識別番号の照合結果にもとづいて、出荷したパッケージが回収されたか否かを確認する。さらに、出荷したパッケージが回収されていた場合、重量照合部５５４でのパッケージの重量の照合結果にもとづいて、パッケージに含まれた引取用医療器材が揃っているかを確認する。その際、一般的に回収されたパッケージには水分等が付着しているので、出荷したパッケージと同一の引取用医療器材が含められていても、回収されたパッケージの重量は出荷したものよりも重くなっている。ここでは、出荷したパッケージの重量に所定の誤差の範囲を設定し、回収されたパッケージの重量が当該誤差の範囲であれば、パッケージに含まれた引取用医療器材が揃っていると判断する。
【００４３】
提示部５４８は、引取器材特定部５４６で確認した未回収の医療器材を図１の５０４に提示する。さらに、未回収器材を部品記録部５５６に記憶する。
【００４４】
図１２は、管理装置５０６による確認工程の手順を示すフローチャートである。提供者は、入力インターフェース５４０を介して回収された引取用医療器材の識別番号をパッケージ単位で入力し（Ｓ５４０）、識別情報特定部５４２が、入力された識別番号を特定する。また提供者は、入力インターフェース５４０を介して回収されたパッケージの重量を識別情報入力部５２２に入力する（Ｓ５４２）。識別情報照合部５４４は、回収されたパッケージに対応し、かつ識別情報記憶部５１４に記憶した識別番号（Ｓ５４４）と重量を取得する（Ｓ５４６）。識別情報照合部５４４と引取器材特定部５４６は、識別情報特定部５４２で特定した識別番号と識別情報記憶部５１４から取得した識別番号を照合して、不一致の識別番号が存在するかを確認する（Ｓ５４８）。
【００４５】
不一致の識別番号が存在しなかった場合（Ｓ５３４のＮ）、重量照合部５５４と引取器材特定部５４６は、重量入力部５５２に入力された重量と識別情報記憶部５１４から取得した重量を照合する（Ｓ５５０）。重量が誤差の範囲を含めて一致していれば（Ｓ５５０のＹ）、管理装置５０６は、確認処理を終了する（Ｓ５５２）。さらに提供者は、図１の滅菌工程（Ｓ５２２）以降の処理に進む。一方、不一致の識別番号が存在した場合（Ｓ５４８のＹ）あるいは重量が一致しなかった場合（Ｓ５５０のＮ）、提示部５４８は図１の医療機関５０４に対してその旨を提示し（Ｓ５５４）、部品記録部５５６に記憶する。
【００４６】
本発明の実施例によれば、複数の引取用医療器材を含んだパッケージ単位で識別番号を付与し、医療機器提供機関は、引取用医療器材を回収した際にパッケージ単位の識別番号を確認し、さらに出荷時と回収時の重量の違いを比較するので、回収したパッケージに含まれるべき引取用医療器材の不足を発見できる。また、パッケージ単位の識別番号の付与とパッケージの重量を組み合わせることによって、回収したパッケージに含まれるべき引取用医療器材の不足の発見を迅速にかつ正確に行える。
【００４７】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【図面の簡単な説明】
【００４８】
【図１】本発明の実施例１に係る医療器材の流通システムにおける医療器材の流通経路を説明するための模式図である。
【図２】本発明の実施例１に係る管理装置の構成を示す図である。
【図３】図２の器材データ記憶部に記憶された医療器材データのデータ構造を示す図である。
【図４】図２の識別情報記憶部に記憶された器材の識別情報のデータ構造を示す図である。
【図５】図１の医療器材の流通システムで流通する鋏鉗子の構成を示す図である。
【図６】本発明の実施例１に係る管理装置の構成を示す図である。
【図７】図６の管理装置による確認工程の手順を示すフローチャートである。
【図８】本発明の実施例２に係る識別情報記憶部に記憶されたパッケージの識別情報のデータ構造を示す図である。
【図９】本発明の実施例３に係る管理装置の構成を示す図である。
【図１０】図９の識別情報記憶部に記憶されたパッケージの識別情報のデータ構造を示す図である。
【図１１】本発明の実施例３に係る管理装置の構成を示す図である。
【図１２】図１１の管理装置による確認工程の手順を示すフローチャートである。
【符号の説明】
【００４９】
５００  流通システム、  ５０２  医療器材提供機関、  ５０４  医療機関、  ５０６  管理装置、  ５０８  注文装置、  ５１０  ネットワーク、  ５１２  器材データ記憶部、  ５１４  識別情報記憶部、  ５１６  注文データ入力部、  ５１８  医療器材判定部、  ５２０  引取器材特定部、  ５２２  識別情報入力部、  ５２４  入力インターフェース、  ５２６  梱包器材決定部、  ５２８  ハンドル、  ５３０  ハサミユニット、  ５３２  シース、  ５３４  ハンドル用識別番号、  ５３６  ハサミユニット用識別番号、  ５３８  シース用識別番号、  ５４０  入力インターフェース、  ５４２  識別情報特定部、  ５４４  識別情報照合部、  ５４６  引取器材特定部、  ５４８  提示部、  ５５０  重量計算部、  ５５２  重量入力部、  ５５４  重量照合部、  ５５６  部品記録部。
【図１】
2005293210.tif 000003
【図２】
2005293210.tif 000004
【図３】
2005293210.tif 000005
【図４】
2005293210.tif 000006
【図５】
2005293210.tif 000007
【図６】
2005293210.tif 000008
【図７】
2005293210.tif 000009
【図８】
2005293210.tif 000010
【図９】
2005293210.tif 000011
【図１０】
2005293210.tif 000012
【図１１】
2005293210.tif 000013
【図１２】
2005293210.tif 000014